【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
コンテンツを再生する再生装置と、前記再生装置をネットワークに接続する通信装置と、前記再生装置を前記ネットワークを介して再生制御するとともに、再生された前記コンテンツを前記再生装置から前記ネットワークを介して受信する情報端末装置とを備えたネットワーク情報通信システムであって、
前記情報端末装置による再生制御によって前記コンテンツが再生された後に、前記コンテンツの再生が中断された場合、再生が中断された位置を示す再生位置情報を記憶する記憶手段を有し、
前記記憶手段に記憶された前記再生位置情報の示す位置から、前記コンテンツを再び再生することが可能であることを特徴とするネットワーク情報通信システム。
【請求項２】
さらに、前記ネットワークの通信エラーを検出する検出手段を有し、
前記記憶手段は、前記検出手段により通信エラーが検出されたときの前記コンテンツの再生位置を、前記再生位置情報として記憶することを特徴とする請求項1に記載のネットワーク情報通信システム。
【請求項３】
前記ネットワークは、ＴＣＰ／ＩＰを用いたネットワークであり、
前記検出手段は、前記通信装置から前記ネットワークを介して送信されたＴＣＰ／ＩＰのセグメントを前記情報端末装置が正常に受信することができなくなった場合に、前記ネットワークの通信エラーが発生したことを検知することを特徴とする請求項２に記載のネットワーク情報通信システム。
【請求項４】
前記情報端末装置は、さらに、
受信した前記コンテンツをデコードして表示させるためのデコーダと、
前記デコーダのデコードエラーを検出し、前記ネットワークを介して前記通信装置にデコードエラーを通知する通信手段
とを有し、
前記記憶手段は、前記通信手段によりデコードエラーが通知されたときの前記コンテンツの再生位置を、前記再生位置情報として記憶することを特徴とする請求項1に記載のネットワーク情報通信システム。
【請求項５】
前記ネットワークは、ＴＣＰ／ＩＰを用いたネットワークであり、
前記通信手段は、ＴＣＰ／ＩＰのヘッダの一部をデコードエラーの通知に用いることを特徴とする請求項４に記載のネットワーク情報通信システム。
【請求項６】
前記記憶手段は、前記再生位置情報とともに、前記コンテンツの再生が中断された再生位置に対応する静止画像データを記憶し、
前記コンテンツを再び再生する際に、前記記憶手段に記憶された前記静止画像データを提示することを特徴とする請求項１に記載のネットワーク情報通信システム。
【請求項７】
コンテンツを再生する再生装置と、前記再生装置をネットワークに接続する通信装置と、前記再生装置を前記ネットワークを介して再生制御するとともに、再生された前記コンテンツを前記再生装置から前記ネットワークを介して受信する情報端末装置とを備えたネットワーク情報通信システムの制御方法であって、
前記前記通信端末装置による再生制御によって前記コンテンツを再生する第１の再生ステップと、
前記コンテンツの再生が中断された場合、再生が中断された位置を示す再生位置情報を記憶する記憶ステップと、
前記記憶ステップで記憶された前記再生位置情報の示す位置から前記コンテンツを再び再生する第２の再生ステップ
とを有することを特徴とするネットワーク情報通信システムの制御方法。
【請求項８】
さらに、前記ネットワークの通信エラーを検出する検出ステップを有し、
前記記憶ステップにおいて、前記検出ステップで前記ネットワークの通信エラーが検出されたときの前記コンテンツの再生位置を、前記再生位置情報として記憶することを特徴とする請求項７に記載のネットワーク情報通信システムの制御方法。
【請求項９】
前記ネットワークは、ＴＣＰ／ＩＰを用いたネットワークであり、
前記検出ステップにおいて、前記通信装置から前記ネットワークを介して送信されたＴＣＰ／ＩＰのセグメントを前記情報端末装置が正常に受信することができなくなった場合に、前記ネットワークの通信エラーが発生したことを検知することを特徴とする請求項８に記載のネットワーク情報通信システムの制御方法。
【請求項１０】
さらに、
前記再生装置から前記ネットワークを介して受信した前記コンテンツをデコードして前記情報端末装置に表示させるデコードステップと、
前記デコードステップにおけるデコードエラーを検出し、前記情報端末装置から前記ネットワークを介して前記通信装置にデコードエラーを通知する通信ステップ
とを有し、
前記記憶ステップにおいて、前記通信ステップによりデコードエラーが前記通信装置に通知されたときの前記コンテンツの再生位置を、前記再生位置情報として記憶することを特徴とする請求項７に記載のネットワーク情報通信システムの制御方法。
【請求項１１】
前記ネットワークは、ＴＣＰ／ＩＰを用いたネットワークであり、
前記通信ステップにおいて、ＴＣＰ／ＩＰのヘッダの一部をデコードエラーの通知に用いることを特徴とする請求項１０に記載のネットワーク情報通信システムの制御方法。
【請求項１２】
前記記憶ステップにおいて、前記再生位置情報とともに、前記コンテンツの再生が中断された再生位置に対応する静止画像データを記憶し、
前記コンテンツを再び再生する際に、前記記憶ステップで記憶された前記静止画像データを提示することを特徴とする請求項７に記載のネットワーク情報通信システムの制御方法。
【手続補正２】
【補正対象書類名】明細書
【補正対象項目名】発明の名称
【補正方法】変更
【補正の内容】
【発明の名称】ネットワーク情報通信システム及びその制御方法
【手続補正３】
【補正対象書類名】明細書
【補正対象項目名】０００１
【補正方法】変更
【補正の内容】
【０００１】
本発明は、ネットワーク情報通信システム及びその制御方法に関し、更に詳しく述べると、移動中にコンテンツを受信・表示している携帯端末上で様々なエラーが発生し、携帯端末上で視聴が困難になった場合でも、特別な操作なしに簡単に再視聴を行うことの出来る視聴環境をユーザに提供することを可能にするネットワーク情報通信システム及びその制御方法に関する。
【手続補正４】
【補正対象書類名】明細書
【補正対象項目名】００１４
【補正方法】変更
【補正の内容】
【００１４】
本発明は、エラー等で携帯端末上で視聴が困難になった場合に、簡単に再視聴を行うことの出来る視聴環境をユーザに提供するネットワーク情報通信システム及びその制御方法を提示することを目的とする。。
【手続補正５】
【補正対象書類名】明細書
【補正対象項目名】００１５
【補正方法】変更
【補正の内容】
【００１５】
本発明に係るネットワーク情報通信システムは、コンテンツを再生する再生装置と、前記再生装置をネットワークに接続する通信装置と、前記再生装置を前記ネットワークを介して再生制御するとともに、再生された前記コンテンツを前記再生装置から前記ネットワークを介して受信する情報端末装置とを備えたネットワーク情報通信システムであって、前記情報端末装置による再生制御によって前記コンテンツが再生された後に、前記コンテンツの再生が中断された場合、再生が中断された位置を示す再生位置情報を記憶する記憶手段を有し、前記記憶手段に記憶された前記再生位置情報の示す位置から、前記コンテンツを再び再生することが可能であることを特徴とする。
本発明に係るネットワーク情報システムの制御方法は、コンテンツを再生する再生装置と、前記再生装置をネットワークに接続する通信装置と、前記再生装置を前記ネットワークを介して再生制御するとともに、再生された前記コンテンツを前記再生装置から前記ネットワークを介して受信する情報端末装置とを備えたネットワーク情報通信システムの制御方法であって、前記前記通信端末装置による再生制御によって前記コンテンツを再生する第１の再生ステップと、前記コンテンツの再生が中断された場合、再生が中断された位置を示す再生位置情報を記憶する記憶ステップと、前記記憶ステップで記憶された前記再生位置情報の示す位置から前記コンテンツを再び再生する第２の再生ステップとを有することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００４２
【補正方法】変更
【補正の内容】
【００４２】
デマルチプレクサ１０３は、デスクランブラ１０２から入力するＴＳデータの中から、操作部１１４又はリモコン１１６の操作により選択されたチャネルの映像データＤ１及び音声データＤ２を取り出し、映像データＤ１をビデオデコーダ１０４に出力し、音声データＤ２をオーディオデコーダ１０５に出力する。また、デマルチプレクサ１０３は、ＴＳデータからデータ放送／ＥＰＧデータＤ３を取り出し、データストリーム処理部１０６に出力する。データストリーム処理部１０６によって処理されたデータ放送／ＥＰＧデータは、バス１２０を介してメモリ１０７に取り込まれ、ＣＰＵ１１８によるソフトウェア処理の後に不図示の記録媒体に格納される。
【手続補正２３】
【補正対象書類名】明細書
【補正対象項目名】００５８
【補正方法】変更
【補正の内容】
【００５８】
図３は、携帯電話（情報端末装置）の外観を示し、図４は、携帯端末の概略構成ブロック図を示す。
【手続補正２４】
【補正対象書類名】明細書
【補正対象項目名】００５９
【補正方法】変更
【補正の内容】
【００５９】
携帯電話３００には、送受信用のアンテナ３０１が、引き出し及び収容可能に取り付けられている。スピーカ３０２から通話先の音声が出力される。ディスプレイ３０３は、電波状態及び保存されている電話帳などの各種情報を表示するとともに、テレビ受信装置１００からのコンテンツデータを表示する。各種操作のための操作入力部３０４は、テンキーを含む。マイクロフォン３０５は、通話時のユーザの音声を集音する。携帯電話本体部３０７は、アンテナ３０１及びマイクロフォン３０５を含む一般的な携帯電話の機能を提供する。通信制御部３０８は、公衆回線網に設けられたサーバを介して簡易トランスポートプロトコルによりインターネットに接続する機能を具備する。デコーダ３０９は、通信制御部３０８で受信したコンテンツデータをデコードし、表示部３０３に出力する。バッファ３１０は、簡易トランスポートプロトコルでウインドウ制御を行う為に用意される。
【手続補正２５】
【補正対象書類名】明細書
【補正対象項目名】００６４
【補正方法】変更
【補正の内容】
【００６４】
図５に示すネットワークシステムにおいて、携帯端末３００からテレビ受信装置１００に制御信号を送信でき、また、テレビ受信装置１００は、Ｄ-ＶＨＳ１３０の蓄積コンテンツである動画データを携帯端末３００に送信出来る。この動作の詳細を説明する。
【手続補正２６】
【補正対象書類名】明細書
【補正対象項目名】００６９
【補正方法】変更
【補正の内容】
【００６９】
コンテンツ送信要求を受信したテレビ受信装置１００は、指定されたコンテンツを蓄積している機器からコンテンツを取得する。即ち、指定されたコンテンツがＤ−ＶＨＳ１３０内に格納されていることを認識すると、Ｄ−ＶＨＳ１３０にコンテンツ取得の為のＩＥＥＥ１３９４ ＡＶ／Ｃコマンドを送信する（５０４）。ＡＶ／Ｃコマンドを受信したＤ−ＶＨＳ１３０は、コンテンツを再生し、ＩＥＥＥ１３９４経由でテレビ受信装置１００に送信する（５０５）。
【手続補正２７】
【補正対象書類名】明細書
【補正対象項目名】００８５
【補正方法】変更
【補正の内容】
【００８５】
予約領域は６ビットからなり、通常のＴＣＰ／ＩＰでは将来的な拡張のために確保された未使用領域である。本実施例では、この領域の一部をデコードエラーの有無を検出するために利用する。図１１は、予約領域の説明図である。「予約」と付記した上位５ビットは、本実施例でも使用されず、通常、’０’が格納される。デコードエラーと付記した最下位ビットには、携帯端末３００のデコーダ３０９で何らかのエラーが発生した場合、’１’が格納され、正常にデコードが完了した場合には’０’が格納される。このように予約領域を利用することで、テレビ受信装置１００は、携帯電話３００のデコードエラーを検出出来るようになる。
【手続補正２８】
【補正対象書類名】明細書
【補正対象項目名】００９８
【補正方法】変更
【補正の内容】
【００９８】
テレビ受信装置１００ａは、携帯電話３００に対しＴＣＰ／ＩＰによりコンテンツを送信する。テレビ受信装置１００ａは、コンテンツ送信に先立ち、ＴＣＰ／ＩＰヘッダのシーケンス番号とコンテンツのタイムスタンプに加え、該当するタイムスタンプに対応するコンテンツの静止画情報を静止画キャプチャ装置１２５で取得し、再生位置記憶部１２４に記憶する。
【手続補正２９】
【補正対象書類名】明細書
【補正対象項目名】０１０１
【補正方法】変更
【補正の内容】
【０１０１】
テレビ受信装置１００ａは、ユーザが携帯電話３００で視聴できなかったコンテンツの位置及びそれに対応する静止画像を再生位置記憶部１２４に保持している。帰宅後、ユーザにより電源が投入されると、テレビ受信装置１００ａは、再生位置記憶部１２４に保持される情報を基に図１４に示すようなＧＵＩ（グラフィカル・ユーザ・インターフェース）を画像表示部１１２に表示する。連続したコンテンツ情報が再生位置記憶部１２４に保持されている場合は、先頭の静止画像をインデックスとして使用する。ユーザが視聴できなかったコンテンツの静止画像がインデックスとして一覧表示される。ユーザがリモコン１１６又は操作部１１４により特定の静止画像が選択すると、テレビ受信装置１００ａは、その位置からの再生要求をＤ−ＶＨＳ１３０に送信し、その位置からのコンテンツが再生される。
【手続補正３０】
【補正対象書類名】明細書
【補正対象項目名】０１０７
【補正方法】変更
【補正の内容】
【０１０７】
図１５は、第３実施例に係るテレビ受信装置１００ｂの概略構成ブロック図を示す。図１及び図１３に示す実施例と同じ構成要素には同じ符号を付してある。テレビ受信装置１００ｂには、ＨＤＤ１２６を追加してある。
【手続補正３１】
【補正対象書類名】明細書
【補正対象項目名】０１０８
【補正方法】変更
【補正の内容】
【０１０８】
テレビ受信装置１００ｂは、コンテンツ送信に先立ち、ＴＣＰ／ＩＰヘッダのシーケンス番号とコンテンツのタイムスタンプに加え、そのタイムスタンプに対応するコンテンツの静止画情報を静止画キャプチャ装置１２５により取得し、再生位置記憶部１２４に記憶する。
【手続補正３２】
【補正対象書類名】明細書
【補正対象項目名】０１１４
【補正方法】変更
【補正の内容】
【０１１４】
帰宅後、ユーザにより電源が投入されると、テレビ受信装置１００ｂは、再生位置記憶部１２４に保持してある情報を基に図１４に示すようなＧＵＩを画像表示部１１２に表示する。再生位置記憶部１２４に連続したコンテンツ情報が保持されている場合、先頭の静止画像をインデックスとして使用する。ユーザが視聴できなかったコンテンツの静止画像が、インデックスとして一覧表示される。リモコン１１６又は操作部１１４により特定の静止画像が選択されると、テレビ受信装置１００ｂは、事前に蓄積されている指定位置からのダイジェストストリームをＨＤＤ１２６から取得し、画像表示部１１２に表示させる。これにより、ユーザは所望のコンテンツを画面上で視覚的に確認できる。
【手続補正３３】
【補正対象書類名】明細書
【補正対象項目名】０１１７
【補正方法】変更
【補正の内容】
【０１１７】
第４実施例では、テレビ受信装置１００，１００ａ，１００ｂは、再生位置記憶部１２４に蓄積した、ユーザが携帯電話３００で視聴できなかったコンテンツの位置情報及びそれに対応する静止画情報を、携帯電話３００との通信が切断された時点で、インターネット４０３に接続された図示しないサーバにユーザＩＤと共に送信する。ユーザＩＤは、テレビ受信装置１００，１００ａ，１００ｂが通信している携帯電話３００を識別する為に利用する情報であり、テレビ受信装置１００，１００ａ，１００ｂと携帯電話３００との間のＴＣＰ／ＩＰコネクション確立の際、携帯電話３００からテレビ受信装置１００，１００ａ，１００ｂに送信される。サーバにこれらの情報を送信したテレビ受信装置１００，１００ａ，１００ｂは、再生位置記憶部１２４からその情報を消去する。
【手続補正３４】
【補正対象書類名】明細書
【補正対象項目名】０１１８
【補正方法】変更
【補正の内容】
【０１１８】
ユーザは、帰宅した際、通信エラー及びデコードエラーなどにより携帯電話３００による視聴を途中で断念せざるを得なかった場合、そのコンテンツを自宅のテレビ受信装置１００，１００ａ，１００ｂで視聴することが予想される。ユーザは、自分の携帯電話３００を識別する為のユーザＩＤをテレビ受信装置１００，１００ａ，１００ｂに入力する。テレビ受信装置１００，１００ａ，１００ｂは、そのために必要な情報を上記したサーバから獲得し、ユーザが所望の箇所より再視聴しやすいように制御を行う。
【手続補正３５】
【補正対象書類名】明細書
【補正対象項目名】０１１９
【補正方法】変更
【補正の内容】
【０１１９】
このような構成をとることで、複数のユーザの利用が快適になるばかりか、テレビ受信装置１００，１００ａ，１００ｂのリソースをより有効に活用出来る。
【手続補正３６】
【補正対象書類名】明細書
【補正対象項目名】０１２０
【補正方法】変更
【補正の内容】
【０１２０】
本実施例では、テレビ受信装置１００，１００ａ，１００ｂは、通信相手の携帯電話３００との通信が切断された時点で、サーバに情報を送信するとしたが、通信途中に逐一、情報を送信する構成に変更してもよい。
【手続補正３７】
【補正対象書類名】明細書
【補正対象項目名】０１２１
【補正方法】変更
【補正の内容】
【０１２１】
本発明はその精神、またはその主要な特徴から逸脱することなく、様々な形で実施することが出来る。従って、上述の第１〜第４実施例は、あらゆる点に於いて単なる例示に過ぎず、限定的に解釈されるべきではない。
【手続補正３８】
【補正対象書類名】明細書
【補正対象項目名】０１２３
【補正方法】変更
【補正の内容】
【０１２３】
１００，１００ａ，１００ｂ：テレビ受信装置
１０１：チューナ
１０２：デスクランブラ
１０３：デマルチプレクサ
１０４：ビデオデコーダ
１０５：オーディオデコーダ
１０６：データストリーム処理部
１０７：メモリ部
１０８：画像構成部
１０９：表示制御部
１１０：ＤＡＣ
１１２：画像表示部
１１３：音声出力部
１１４：操作部
１１５：受光部
１１６：リモコン
１１７：ＩＣカード制御部
１１８：ＣＰＵ
１２０：バス
１２１：ＩＥＥＥ１３９４インターフェース
１２２：エンコーダ
１２３：通信制御部
１２４：再生位置記憶部
１２５：静止画キャプチャ装置
１２６：ＨＤＤ
１３０：Ｄ−ＶＨＳ
１３１：プリンタ